(57)【要約】【課題】情報コードを利用する利用者の操作負担を低減しつつ、前記情報コードの読取精度を向上させることが可能な情報コード読取装置、自動改札機、情報コード読取方法、及び情報コード読取プログラムを提供する。【解決手段】発光処理部１１２は、周囲の明るさに応じて表示画面５０の表示輝度を調整可能な利用者端末４を検出すると利用者端末４に光を照射する発光部１７１の発光輝度を基準輝度よりも高い輝度に上昇させる第１発光処理を実行し、当該第１発光処理に続けて前記発光輝度を前記基準輝度よりも低い輝度に低下させる又は発光部１７１を消灯させる第２発光処理を実行し、撮像処理部１１３は、発光処理部１１２により前記第２発光処理が実行された後に表示画面５０を撮像部１７２に撮像させる。【選択図】図６
2020149542.tif 000002
【特許請求の範囲】
【請求項１】
周囲の明るさに応じて表示画面の表示輝度を調整可能な機能を備える携帯端末の前記表示画面に表示される情報コードを読み取る情報コード読取装置であって、
前記情報コードの読取面に翳される前記携帯端末を検出する検出処理部と、
前記検出処理部により検出される前記携帯端末に光を照射する発光部の発光輝度を調整する発光処理部と、
前記検出処理部により検出される前記携帯端末の前記表示画面を撮像部に撮像させる撮像処理部と、
前記撮像部により撮像される撮像画像から前記情報コードを読み取る読取処理部と、
を備え、
前記発光処理部は、前記検出処理部により前記携帯端末が検出された場合に前記発光輝度を基準輝度よりも高い輝度に上昇させる第１発光処理を実行し、当該第１発光処理に続けて前記発光輝度を前記基準輝度よりも低い輝度に低下させる又は前記発光部を消灯させる第２発光処理を実行し、
前記撮像処理部は、前記発光処理部により前記第２発光処理が実行された後に前記表示画面を前記撮像部に撮像させる、情報コード読取装置。
【請求項２】
前記発光処理部は、前記第１発光処理において前記表示画面に前記光を照射することにより、前記携帯端末が備える前記機能により前記表示画面の前記表示輝度を上昇させる、
請求項１に記載の情報コード読取装置。
【請求項３】
前記発光処理部は、前記検出処理部により前記携帯端末が検出された場合に、前記携帯端末が前記読取面に近づくに従って前記発光輝度を上昇させる、
請求項１又は２に記載の情報コード読取装置。
【請求項４】
前記読取処理部により前記情報コードが読み取られない場合、前記発光処理部は、再度、前記第１発光処理及び前記第２発光処理を実行し、前記撮像処理部は、前記発光処理部により再度の前記第１発光処理及び前記第２発光処理が実行された後に前記表示画面を前記撮像部に撮像させる、
請求項１から３のいずれかに記載の情報コード読取装置。
【請求項５】
前記表示画面の前記表示輝度を検出し、検出した前記表示輝度が所定輝度以上であるか否かを判定する輝度判定処理部をさらに備え、
前記発光処理部は、前記表示輝度が前記所定輝度以上になるまで前記第１発光処理を実行し、前記表示輝度が前記所定輝度以上になった場合に前記第２発光処理を実行し、
前記撮像処理部は、前記発光処理部により前記第２発光処理が実行された後、前記表示輝度が前記所定輝度未満に低下する前に前記表示画面を前記撮像部に撮像させる、
請求項１から４のいずれかに記載の情報コード読取装置。
【請求項６】
前記検出処理部は、さらに、所定の情報コードの画像が印刷された紙媒体を検出し、
前記発光処理部は、前記検出処理部により前記紙媒体が検出された場合に前記紙媒体に対する前記発光輝度を上昇させる前記第１発光処理を実行し、
前記撮像処理部は、前記発光処理部により前記第１発光処理が実行された後に前記紙媒体を前記撮像部に撮像させ、
前記読取処理部は、前記撮像部により撮像される前記撮像画像から前記所定の情報コードを読み取る、
請求項１から５のいずれかに記載の情報コード読取装置。
【請求項７】
前記発光処理部は、前記検出処理部により前記携帯端末が検出された場合に前記発光輝度を前記基準輝度よりも高い第１輝度に上昇させ、前記検出処理部により前記紙媒体が検出された場合に前記発光輝度を前記第１輝度以下の第２輝度に上昇させる、
請求項６に記載の情報コード読取装置。
【請求項８】
前記発光部及び前記撮像部が配置される情報コード読取部をさらに備え、
前記発光処理部は、前記検出処理部により前記携帯端末が検出され、かつ前記読取面が前記携帯端末の前記表示画面で覆われた場合に、前記第１発光処理を実行し、前記読取面が前記表示画面で覆われている間に前記第２発光処理を実行し、
前記撮像処理部は、前記読取面が前記表示画面で覆われている間に前記表示画面を前記撮像部に撮像させる、
請求項１から７のいずれかに記載の情報コード読取装置。
【請求項９】
請求項１から８のいずれかに記載の情報コード読取装置と、
前記読取処理部により読み取られる前記情報コードの有効性を判定する判定処理部と、
前記判定処理部による判定結果に基づいて、前記携帯端末の利用者の自動改札機の通過を制御する通行制御部と、
を備え、
前記通行制御部は、前記判定処理部により前記情報コードが有効と判定された場合に前記利用者の通過を許可し、前記判定処理部により前記情報コードが無効と判定された場合に前記利用者の通過を禁止する、自動改札機。
【請求項１０】
周囲の明るさに応じて表示画面の表示輝度を調整可能な機能を備える携帯端末の前記表示画面に表示される情報コードを読み取る情報コード読取方法であって、
前記情報コードの読取面に翳される前記携帯端末を検出する検出ステップと、
前記検出ステップにより検出される前記携帯端末に光を照射する発光部の発光輝度を調整する発光ステップと、
前記検出ステップにより検出される前記携帯端末の前記表示画面を撮像部に撮像させる撮像ステップと、
前記撮像部により撮像される撮像画像から前記情報コードを読み取る読取ステップと、
を一又は複数のプロセッサにより実行し、
前記発光ステップでは、前記検出ステップにおいて前記携帯端末が検出された場合に前記発光輝度を基準輝度よりも高い輝度に上昇させる第１発光処理を実行し、当該第１発光処理に続けて前記発光輝度を前記基準輝度よりも低い輝度に低下させる又は前記発光部を消灯させる第２発光処理を実行し、
前記撮像ステップでは、前記発光ステップにおいて前記第２発光処理が実行された後に前記表示画面を前記撮像部に撮像させる、情報コード読取方法。
【請求項１１】
周囲の明るさに応じて表示画面の表示輝度を調整可能な機能を備える携帯端末の前記表示画面に表示される情報コードを読み取る情報コード読取プログラムであって、
前記情報コードの読取面に翳される前記携帯端末を検出する検出ステップと、
前記検出ステップにより検出される前記携帯端末に光を照射する発光部の発光輝度を調整する発光ステップと、
前記検出ステップにより検出される前記携帯端末の前記表示画面を撮像部に撮像させる撮像ステップと、
前記撮像部により撮像される撮像画像から前記情報コードを読み取る読取ステップと、
を一又は複数のプロセッサにより実行させ、
前記発光ステップでは、前記検出ステップにおいて前記携帯端末が検出された場合に前記発光輝度を基準輝度よりも高い輝度に上昇させる第１発光処理を実行し、当該第１発光処理に続けて前記発光輝度を前記基準輝度よりも低い輝度に低下させる又は前記発光部を消灯させる第２発光処理を実行し、
前記撮像ステップでは、前記発光ステップにおいて前記第２発光処理が実行された後に前記表示画面を前記撮像部に撮像させる、情報コード読取プログラム。
【発明の詳細な説明】
【技術分野】
【０００１】
本発明は、携帯端末の表示画面から情報コードを読み取ることが可能な情報コード読取装置、自動改札機、情報コード読取方法、及び情報コード読取プログラムに関する。
【背景技術】
【０００２】
近年、ＱＲコード（登録商標）などの情報コードを用いて商品などの決済処理を行ったり、自動改札機の改札処理を行ったりするシステムが提案されている（例えば、特許文献１参照）。例えば、利用者が自身の携帯端末（端末装置）の表示画面に表示されたＱＲコードを読取装置に翳すと、前記読取装置は、ＱＲコードを読み取り、ＱＲコードに記録された情報を取得する。そして、決済装置、自動改札機などの情報処理装置は、前記読取装置により取得された情報に基づいて決済処理、改札処理などの各種処理を実行する。
【先行技術文献】
【特許文献】
【０００３】
【特許文献１】特開２０１５−１７６３１３号公報
【発明の概要】
【発明が解決しようとする課題】
【０００４】
ここで、携帯端末の表示画面に表示されたＱＲコードを読み取る際に、表示画面の表示輝度が低いとＱＲコードの読取精度が低下することが知られている。例えば、周囲の明るさに応じて表示画面の表示輝度を調整する輝度調整機能を有する携帯端末では、当該携帯端末の表示画面をＱＲコードの読取面に翳した場合に当該携帯端末の輝度センサが当該読取面に覆われるため輝度センサの周囲が暗くなり、前記輝度調整機能によって表示画面の表示輝度が低下する。これにより、ＱＲコードの読取エラーが生じるなど読取精度が低下する。
【０００５】
このような読取精度の低下を防ぐために、従来の携帯端末は、携帯端末にインストールされたアプリケーションによって、ＱＲコードを表示画面に表示する際に表示画面の表示輝度を上昇させる処理を行っている。しかし、この方法では、携帯端末に専用のアプリケーションを予めインストールしておかなければならない。また、携帯端末にインストールした前記アプリケーションを常時起動させておくか、ＱＲコードを利用する度に前記アプリケーションを起動させなければならない。
【０００６】
本発明の目的は、情報コードを利用する利用者の操作負担を低減しつつ、前記情報コードの読取精度を向上させることが可能な情報コード読取装置、自動改札機、情報コード読取方法、及び情報コード読取プログラムを提供することにある。
【課題を解決するための手段】
【０００７】
本発明の一の局面に係る情報コード読取装置は、周囲の明るさに応じて表示画面の表示輝度を調整可能な機能を備える携帯端末の前記表示画面に表示される情報コードを読み取る情報コード読取装置であって、前記情報コードの読取面に翳される前記携帯端末を検出する検出処理部と、前記検出処理部により検出される前記携帯端末に光を照射する発光部の発光輝度を調整する発光処理部と、前記検出処理部により検出される前記携帯端末の前記表示画面を撮像部に撮像させる撮像処理部と、前記撮像部により撮像される撮像画像から前記情報コードを読み取る読取処理部と、を備え、前記発光処理部は、前記検出処理部により前記携帯端末が検出された場合に前記発光輝度を基準輝度よりも高い輝度に上昇させる第１発光処理を実行し、当該第１発光処理に続けて前記発光輝度を前記基準輝度よりも低い輝度に低下させる又は前記発光部を消灯させる第２発光処理を実行し、前記撮像処理部は、前記発光処理部により前記第２発光処理が実行された後に前記表示画面を前記撮像部に撮像させる。
【０００８】
また、前記発光処理部は、前記第１発光処理において前記表示画面に前記光を照射することにより、前記携帯端末が備える前記機能により前記表示画面の前記表示輝度を上昇させる。
【０００９】
上記の構成では、情報コード読取装置は、携帯端末を検出すると携帯端末の表示画面に高輝度の光を照射して、携帯端末が有する輝度調整機能を動作させて表示画面の表示輝度を上昇させる。その後、情報コード読取装置は、発光輝度を低下させて表示画面を撮像し、情報コードを読み取る。上記の構成によれば、利用者は、情報コードを利用する際に携帯端末において表示画面の輝度を手動で調整する必要がない。また利用者は、情報コードを利用する際に表示画面の輝度を自動で調整する機能を備えるアプリケーションを携帯端末にインストールする必要もない。また上記の構成によれば、携帯端末の表示画面が明るい状態で表示画面の撮像画像を取得することができるため、当該撮像画像に含まれる情報コードを確実に読み取ることが可能となる。よって、前記情報コード読取装置によれば、情報コードを利用する利用者の操作負担を低減しつつ、情報コードの読取精度を向上させることが可能となる。
【００１０】
前記情報コード読取装置では、前記発光処理部は、前記検出処理部により前記携帯端末が検出された場合に、前記携帯端末が前記読取面に近づくに従って前記発光輝度を上昇させてもよい。
【００１１】
上記の構成によれば、発光部が携帯端末により覆われる面積が増加する程、発光輝度が上昇するため、発光部の光を携帯端末の利用者の視界に入り難くすることができる。
【００１２】
前記情報コード読取装置では、前記読取処理部により前記情報コードが読み取られない場合、前記発光処理部は、再度、前記第１発光処理及び前記第２発光処理を実行し、前記撮像処理部は、前記発光処理部により再度の前記第１発光処理及び前記第２発光処理が実行された後に前記表示画面を前記撮像部に撮像させる。
【００１３】
上記の構成によれば、情報コードが読み取られるまで前記第１発光処理及び前記第２発光処理を繰り返すため、確実に情報コードを読み取ることが可能となる。
【００１４】
前記情報コード読取装置では、前記表示画面の前記表示輝度を検出し、検出した前記表示輝度が所定輝度以上であるか否かを判定する輝度判定処理部をさらに備え、前記発光処理部は、前記表示輝度が前記所定輝度以上になるまで前記第１発光処理を実行し、前記表示輝度が前記所定輝度以上になった場合に前記第２発光処理を実行し、前記撮像処理部は、前記発光処理部により前記第２発光処理が実行された後、前記表示輝度が前記所定輝度未満に低下する前に前記表示画面を前記撮像部に撮像させてもよい。
【００１５】
上記の構成によれば、表示画面の表示輝度を所望の輝度に調整することができるため、表示画面の撮像画像から情報コードを確実に読み取ることが可能となる。よって、情報コードの読取精度を確実に向上させることが可能となる。
【００１６】
前記情報コード読取装置では、前記検出処理部は、さらに、所定の情報コードの画像が印刷された紙媒体を検出し、前記発光処理部は、前記検出処理部により前記紙媒体が検出された場合に前記紙媒体に対する前記発光輝度を上昇させる前記第１発光処理を実行し、前記撮像処理部は、前記発光処理部により前記第１発光処理が実行された後に前記紙媒体を前記撮像部に撮像させ、前記読取処理部は、前記撮像部により撮像される前記撮像画像から前記所定の情報コードを読み取ってもよい。
【００１７】
また前記情報コード読取装置では、前記発光処理部は、前記検出処理部により前記携帯端末が検出された場合に前記発光輝度を前記基準輝度よりも高い第１輝度に上昇させ、前記検出処理部により前記紙媒体が検出された場合に前記発光輝度を前記第１輝度以下の第２輝度に上昇させてもよい。
【００１８】
上記の構成によれば、携帯端末に表示された情報コードを、及び、紙媒体に印刷された情報コードを確実に読み取ることが可能となる。
【００１９】
前記情報コード読取装置では、前記発光部及び前記撮像部が配置される情報コード読取部をさらに備え、前記発光処理部は、前記検出処理部により前記携帯端末が検出され、かつ前記読取面が前記携帯端末の前記表示画面で覆われた場合に、前記第１発光処理を実行し、前記読取面が前記表示画面で覆われている間に前記第２発光処理を実行し、前記撮像処理部は、前記読取面が前記表示画面で覆われている間に前記表示画面を前記撮像部に撮像させる。
【００２０】
上記の構成によれば、携帯端末の表示画面の表示輝度を確実に上昇させることができ、また前記読取面に対する外光の進入を防ぐことができる。よって、携帯端末の表示画面を適切に撮像することが可能となる。
【００２１】
本発明の他の局面に係る自動改札機は、前記情報コード読取装置と、前記読取処理部により読み取られる前記情報コードの有効性を判定する判定処理部と、前記判定処理部による判定結果に基づいて、前記携帯端末の利用者の自動改札機の通過を制御する通行制御部と、を備え、前記通行制御部は、前記判定処理部により前記情報コードが有効と判定された場合に前記利用者の通過を許可し、前記判定処理部により前記情報コードが無効と判定された場合に前記利用者の通過を禁止する。
【００２２】
上記の構成によれば、情報コードを利用する利用者の操作負担を低減しつつ、前記情報コードの読取精度を向上させることが可能な自動改札機を実現することができる。
【００２３】
本発明の他の局面に係る情報コード読取方法は、周囲の明るさに応じて表示画面の表示輝度を調整可能な機能を備える携帯端末の前記表示画面に表示される情報コードを読み取る情報コード読取方法であって、前記情報コードの読取面に翳される前記携帯端末を検出する検出ステップと、前記検出ステップにより検出される前記携帯端末に光を照射する発光部の発光輝度を調整する発光ステップと、前記検出ステップにより検出される前記携帯端末の前記表示画面を撮像部に撮像させる撮像ステップと、前記撮像部により撮像される撮像画像から前記情報コードを読み取る読取ステップと、を一又は複数のプロセッサにより実行し、前記発光ステップでは、前記検出ステップにおいて前記携帯端末が検出された場合に前記発光輝度を基準輝度よりも高い輝度に上昇させる第１発光処理を実行し、当該第１発光処理に続けて前記発光輝度を前記基準輝度よりも低い輝度に低下させる又は前記発光部を消灯させる第２発光処理を実行し、前記撮像ステップでは、前記発光ステップにおいて前記第２発光処理が実行された後に前記表示画面を前記撮像部に撮像させる。これにより、情報コードを利用する利用者の操作負担を低減しつつ、前記情報コードの読取精度を向上させることが可能な情報コード読取方法を実現することができる。
【００２４】
本発明の他の局面に係る情報コード読取プログラムは、周囲の明るさに応じて表示画面の表示輝度を調整可能な機能を備える携帯端末の前記表示画面に表示される情報コードを読み取る情報コード読取プログラムであって、前記情報コードの読取面に翳される前記携帯端末を検出する検出ステップと、前記検出ステップにより検出される前記携帯端末に光を照射する発光部の発光輝度を調整する発光ステップと、前記検出ステップにより検出される前記携帯端末の前記表示画面を撮像部に撮像させる撮像ステップと、前記撮像部により撮像される撮像画像から前記情報コードを読み取る読取ステップと、を一又は複数のプロセッサにより実行させ、前記発光ステップでは、前記検出ステップにおいて前記携帯端末が検出された場合に前記発光輝度を基準輝度よりも高い輝度に上昇させる第１発光処理を実行し、当該第１発光処理に続けて前記発光輝度を前記基準輝度よりも低い輝度に低下させる又は前記発光部を消灯させる第２発光処理を実行し、前記撮像ステップでは、前記発光ステップにおいて前記第２発光処理が実行された後に前記表示画面を前記撮像部に撮像させる。これにより、情報コードを利用する利用者の操作負担を低減しつつ、前記情報コードの読取精度を向上させることが可能な情報コード読取プログラムを実現することができる。
【発明の効果】
【００２５】
本発明によれば、情報コードを利用する利用者の操作負担を低減しつつ、前記情報コードの読取精度を向上させることが可能である。
【図面の簡単な説明】
【００２６】
【図１】図１は、本発明の実施形態に係る自動改札機を含む駅務システムのネットワーク構成を示す図である。
【図２】図２は、本発明の実施形態に係る自動改札機の一例を示す斜視図である。
【図３】図３は、本発明の実施形態に係る自動改札機の構成を示すブロック図である。
【図４】図４は、本発明の実施形態に係る利用者端末の構成を示すブロック図である。
【図５】図５は、本発明の実施形態に係る利用者端末の表示画面の一例を示す図である。
【図６】図６は、本発明の実施形態に係る駅務システムにおいて実行される情報コード読取処理の一例を示すフローチャートである。
【図７】図７は、本発明の実施形態に係る自動改札機の他の構成を示すブロック図である。
【図８】図８は、本発明の実施形態に係る駅務システムにおいて実行される情報コード読取処理の他の例を示すフローチャートである。
【図９】図９は、本発明の実施形態に係る駅務システムにおいて実行される情報コード読取処理の他の例を示すフローチャートである。
【図１０】図１０は、本発明の実施形態に係る駅務システムにおいて実行される情報コード読取処理の他の例を示すフローチャートである。
【図１１】図１１は、本発明の実施形態に係る券売機の一例を示す斜視図である。
【発明を実施するための形態】
【００２７】
以下、適宜図面を参照して本発明の実施形態について説明する。なお、以下に説明される実施形態は本発明を具体化した一例にすぎず、本発明の技術的範囲を限定するものではない。
【００２８】
［駅務システム１００］
図１は、本発明の実施形態に係る自動改札機１を含む駅務システム１００を示すネットワーク図である。図１に示すように、駅務システム１００は、自動改札機１、駅サーバ２、センタ装置３、及び、利用者端末４（本発明の携帯端末の一例）によって構成される。図１では、二つの駅８（８Ａ，８Ｂ）を示しており、その他の駅についての図示を省略している。各駅８には、複数の自動改札機１、駅サーバ２、券売機７（図１１参照）、精算機（不図示）、及び、駅員が使用する駅員端末（不図示）等の駅務機器が設置されている。これら駅務機器は、ＬＡＮ等のネットワークＮ１を介して駅サーバ２に通信可能に接続されている。また、各駅８の駅サーバ２は、専用回線、公衆回線等のネットワークＮ２を介して、鉄道事業者（鉄道会社）が管理するサーバ装置であるセンタ装置３に通信可能に接続されている。
【００２９】
自動改札機１は、駅８の改札口に設置されている。図２に示すように、自動改札機１は、間に改札通路６を形成するように入場用の自動改札機１Ａ及び出場用の自動改札機１Ｂを対面させてセットで用いられる場合がある。一方の自動改札機１Ａは、入場時の進行方向（矢印Ｄ１０の方向）に沿って前記改札口から改札内に入場する利用者に対して改札処理（入場改札処理）を行う入場用自動改札機としての役割を担う。他方の自動改札機１Ｂは、出場時の進行方向（矢印Ｄ１１の方向）に沿って前記改札口から前記改札口の外側の改札外へ出場する利用者に対して改札処理（出場改札処理）を行う出場用自動改札機としての役割を担う。
【００３０】
なお、自動改札機１は、自動改札機１Ａ又は自動改札機１Ｂが単体として用いられて、一方向に通行する利用者に対して改札処理を行うものであってもよい。この場合、自動改札機１は、後述するＱＲコード読取部１７（図２参照）が改札外側に配置されるように設置された場合に、入場用自動改札機として用いられる。また、自動改札機１は、ＱＲコード読取部１７が改札内側に配置されるように設置された場合に、出場用自動改札機として用いられる。
【００３１】
また、本実施形態に係る自動改札機１は、本発明の情報コード読取装置を備える。自動改札機１は、本発明のコード読取装置が適用される機器の一例である。例えば、本発明の情報コード読取装置は、駅務機器のうち券売機７（図１１参照）に適用されてもよい。
【００３２】
以下、駅務システム１００を構成する自動改札機１、駅サーバ２、センタ装置３、及び利用者端末４の具体的な構成について説明する。
【００３３】
［自動改札機１］
図２は、自動改札機１の外観を示す斜視図であり、図３は、自動改札機１の構成を示すブロック図である。自動改札機１は、駅８の改札口に設置されるものであり、前記改札口を通る利用者に対して改札処理を行う。自動改札機１は、図２に示すように、互いに対向するように設置された自動改札機１Ａ及び自動改札機１Ｂを備える。本実施形態では、自動改札機１は、改札通路６（図２参照）を通行しようとする利用者が所有する利用者端末４から二次元コードであるＱＲコード５５（図５参照）を乗車券として取得する。以下、乗車券としてのＱＲコードをＱＲ乗車券５５と称する。ＱＲ乗車券５５は、本発明の情報コードの一例である。自動改札機１は、取得したＱＲ乗車券５５が有効であると判定した場合に、ＱＲ乗車券５５に含まれる乗車券情報に基づく改札処理を行い、取得したＱＲ乗車券５５が無効であると判定した場合は、ゲート１５を閉鎖して、改札通路６における利用者の通行を禁止する。
【００３４】
ここで、ＱＲ乗車券５５は、乗車券情報が記録された二値のドットパターンからなる二次元コードであるＱＲコードであり、乗車券として鉄道事業者から発行されたものである。具体的には、鉄道を利用する利用者の利用者端末４にインストールされた従来周知の乗車券発行アプリケーションにより、利用者端末４が、利用者の識別情報（利用者ＩＤ）とともに乗車券の発行要求を鉄道事業者が管理するセンタ装置３に送信する。センタ装置３は、発光要求を取得すると要求内容に応じたＱＲ乗車券５５を発行する。前記乗車券情報は、ＱＲコードの識別情報（ＱＲコードＩＤ）、利用者を示す利用者ＩＤ、乗車駅を示す駅名コード（入場駅ＩＤ）、降車駅を示す駅名コード（出場駅ＩＤ）、ＱＲ乗車券５５を発行した発行日付及び発行時刻、ＱＲ乗車券５５の発行券種、乗車駅から降車駅までの運賃（金額）、ＱＲ乗車券５５の発行番号などを含む。なお、本実施形態では、本発明の情報コードの一例としてＱＲコードを例示するが、自動改札機１において利用可能な乗車券が、バーコードなどの一次元コード、ＱＲコード以外の二次元コード、又はその他の情報コードによって実現されていてもよい。
【００３５】
図２及び図３に示すように、自動改札機１は、制御部１１と、記憶部１２と、表示部１３と、通信部１４と、ゲート１５と、ＩＣカード読取部１６（図２参照）と、ＱＲコード読取部１７と、近接センサ１８とを備えており、これらが自動改札機１の筐体１０（図２参照）に設けられている。
【００３６】
記憶部１２は、各種の情報を記憶するＨＤＤ又はＳＳＤなどを含む不揮発性の記憶媒体である。記憶部１２には、自動改札機１で実行される後述の情報コード読取処理などの各種処理を制御部１１に実行させるための制御プログラム、前記各種処理に用いられる各種のデータが記憶されている。また、記憶部１２には、駅サーバ２から自動改札機１に送信される券発行情報が記憶されている。この券発行情報は、入場改札処理時及び出場改札処理時に利用者が提示したＱＲ乗車券５５の乗車券情報を照合するために用いられる情報であり、センタ装置３から駅サーバ２を介して自動改札機１に送信される。
【００３７】
表示部１３は、制御部１１からの指示に従って、改札通路６を通行する利用者に対してメッセージなどの情報を表示する。表示部１３は、例えば、液晶パネルを備えている。図２に示すように、表示部１３は、自動改札機１の筐体１０の上面に配置されている。詳細には、表示部１３は、筐体１０の上面において、改札通路６（図２参照）における利用者の進行方向（矢印Ｄ１０又は矢印Ｄ１１の方向）の前方側に配置されている。本実施形態では、表示部１３は、入場又は出場に用いられるゲート１５と概ね同じ位置か、又は、ゲート１５よりも前記進行方向の前方側に配置されている。利用者の通行が許可される場合、表示部１３には、利用者に通行可能であることを示すメッセージが表示される。また、利用者の通行が許可されない場合、表示部１３には、利用者に通行不可（禁止）であることを示すメッセージが表示される。また、ＱＲ乗車券５５の読取処理が適切に行われなかった場合には、表示部１３に、読取エラーを示すメッセージ、又は、再度の読取操作を促すメッセージが表示されてもよい。また、自動改札機１が出場用として用いられる場合には、表示部１３に、例えば、運賃が不足していることを示すメッセージが表示されてもよい。
【００３８】
通信部１４は、自動改札機１を有線又は無線でネットワークに接続し、ネットワークを介して外部機器との間で所定の通信プロトコルに従ったデータ通信を実行するための通信インターフェースである。例えば、通信部１４は、自動改札機１を有線又は無線でネットワークＮ１に接続し、ネットワークＮ１を介して駅サーバ２との間で所定の通信プロトコルに従ったデータ通信を実行する。また通信部１４は、自動改札機１を有線又は無線でネットワークＮ２に接続し、ネットワークＮ２を介してセンタ装置３との間で所定の通信プロトコルに従ったデータ通信を実行するための通信インターフェースである。
【００３９】
ゲート１５は、自動改札機１の改札通路６において前記進行方向の前方側の出口の付近に設置される。ゲート１５は、例えば開閉可能な扉である。ゲート１５が開放されると、利用者は自動改札機１の改札通路６を通過することが可能となり、ゲート１５が閉鎖されると、利用者は自動改札機１の改札通路６を通過することが不可能となる。なお、ゲート１５は、物理的な扉に限られず、例えば、ホログラムを用いた立体画像で現された扉であってもよい。また、ゲート１５は、音声により利用者の通過を許可又は禁止する音声ゲートであってもよい。
【００４０】
近接センサ１８は、筐体１０の上面において、前記出口付近に設けられたゲート１５よりも前記進行方向の手前側（自動改札機１の入口側）に設けられている。
【００４１】
ＱＲコード読取部１７は、筐体１０の上面において、前記出口付近に設けられたゲート１５よりも前記進行方向の手前側（自動改札機１の入口側）に設けられている。筐体１０の前記進行方向の手前側の端部にはＩＣカード読取部１６が設けられており、ＱＲコード読取部１７は、ＩＣカード読取部１６における読取面上において前記進行方向の前方側に設けられている。また近接センサ１８は、筐体１０の上面において、ＱＲコード読取部１７における読取面に近接して設けられている。例えば、図２に示すように、近接センサ１８は、ＱＲコード読取部１７における読取面上の前記進行方向の前方側（自動改札機１の出口側）においてＱＲコード読取部１７に近接して設けられている。
【００４２】
近接センサ１８は、自動改札機１、特にはＱＲコード読取部１７に接近する検出対象物を検知する。具体的には、近接センサ１８は、ＱＲコード読取部１７の読取面に接近する利用者端末４を検知する。近接センサ１８は、誘導方式、静電容量方式、超音波方式、光電方式、磁気方式など周知の方法により利用者端末４を検出可能である。近接センサ１８は、利用者端末４がＱＲコード読取部１７の読取面に翳されたことを検知可能なように、ＱＲコード読取部１７における読取面上において前記進行方向の前方側（自動改札機１の出口側）に設けられている（図２参照）。なお、近接センサ１８は、ＱＲコード読取部１７の内部、例えば読取面の裏側に設けられてもよい。近接センサ１８は、検出対象物（利用者端末４）を検知すると検知信号を制御部１１に送信する。自動改札機１は、近接センサ１８に代えて、距離センサを備えてもよい。
【００４３】
ＱＲコード読取部１７は、利用者端末４の表示画面５０（図５参照）に表示されたＱＲ乗車券（ＱＲコード）５５を読み取る。ＱＲコード読取部１７は、本発明の情報コード読取部の一例である。具体的には、図３に示すように、ＱＲコード読取部１７は、利用者端末４の表示画面５０（図５参照）に光を照射する発光部１７１と、表示画面５０に表示されたＱＲ乗車券（ＱＲコード）５５を含む画面画像５１（図５参照）を撮像してデジタルの画像データ（読取データ）として出力するデジタルカメラなどの撮像部１７２とを含む。発光部１７１は、制御部１１の発光処理部１１２の指示に基づいて光を発光（出射）する。例えば、発光部１７１はＬＥＤで構成される。撮像部１７２は、制御部１１の撮像処理部１１３の指示に基づいて表示画面５０を撮像する。
【００４４】
撮像部１７２は、ＱＲコード読取部１７の読取面に翳された表示画面５０を連続して撮像し（読み取り）、各撮像によって得られた複数の画面画像５１（撮像画像）の画像データ（以下、単に「画面画像５１」と称する場合がある。）を制御部１１に送信する。また撮像部１７２は、ＱＲコード（ＱＲ乗車券５５）が印刷された紙媒体がＱＲコード読取部１７の読取面に翳された場合に、紙媒体を撮像した撮像画像の画像データを制御部１１に送信する。制御部１１の読取処理部１１４は、ＱＲコード読取部１７から送られてきた撮像画像からＱＲ乗車券（ＱＲコード）５５を読み取り、ＱＲ乗車券５５に記録された情報（乗車券情報）を取得する。
【００４５】
なお、撮像部１７２は、表示画面５０の全領域の画像を画面画像５１として撮像してもよい。
【００４６】
本実施形態では、前記読取面に表示画面５０が翳されてから表示画面５０が前記読取面から離れるまでの間（所定時間）において、撮像部１７２が複数枚の画面画像５１を撮像する構成を例示するが、本発明はこの構成に限定されない。例えば、撮像部１７２は、前記所定時間の動画を撮像するものであってもよい。なお、制御部１１は、表示画面５０が前記読取面に翳されたか否か、及び、表示画面５０が前記読取面から離れたか否かを、近接センサ１８の検知信号に基づいて判定することが可能である。
【００４７】
ＱＲコード読取部１７により撮像された複数の画面画像５１（図５参照）は、制御部１１の判定処理部１１５（図３参照）による判定処理に用いられる。
【００４８】
なお、自動改札機１には、ＩＣカード読取部１６（図２参照）が設けられており、利用者は、ＩＣカード形式の乗車券をＩＣカード読取部１６に読み取らせる方法などを用いて、自動改札機１を通行することもできる。本実施形態では、ＩＣカード読取部１６の構成、及びＩＣカードの読取処理の説明を省略する。
【００４９】
制御部１１は、自動改札機１の各部の動作を制御する。制御部１１は、ＣＰＵ、ＲＯＭ、及びＲＡＭなどの制御機器を有する。前記ＲＯＭは、前記ＣＰＵに各種の処理を実行させるためのＢＩＯＳ及びＯＳなどの制御プログラムが予め記憶された不揮発性の記憶媒体である。前記ＲＡＭは、各種の情報を記憶する揮発性又は不揮発性の記憶媒体であり、前記ＣＰＵが実行する各種の処理の一時記憶メモリ（作業領域）として使用される。そして、制御部１１は、前記ＲＯＭ又は記憶部１２に予め記憶された各種の制御プログラムを前記ＣＰＵで実行することにより自動改札機１を制御する。
【００５０】
図３に示すように、制御部１１は、検出処理部１１１、発光処理部１１２、撮像処理部１１３、読取処理部１１４、判定処理部１１５、通行制御部１１６、及びゲート処理部１１７などの各処理部を含む。検出処理部１１１は、本発明の検出処理部の一例である。発光処理部１１２は、本発明の発光処理部の一例である。撮像処理部１１３、本発明の撮像処理部の一例である。読取処理部１１４は、本発明の読取処理部の一例である。判定処理部１１５、本発明の判定処理部の一例である。通行制御部１１６は、本発明の通行制御部の一例である。
【００５１】
制御部１１は、前記ＣＰＵで前記制御プログラムに従った各種の処理を実行することによって前記各種の処理部として機能する。言い換えると、前記ＣＰＵは、本実施形態に係る後述の情報コード読取処理に応じたプログラムを実行することにより、検出処理部１１１、発光処理部１１２、撮像処理部１１３、読取処理部１１４、判定処理部１１５、通行制御部１１６、及びゲート処理部１１７などの処理部として機能する。また、制御部１１に含まれる一部又は全部の処理部が電子回路で構成されていてもよい。なお、前記制御プログラムは、複数のプロセッサを前記各種の処理部として機能させるためのプログラムであってもよい。制御部１１又は前記ＣＰＵが、情報コード読取処理に対応するプログラムを実行するコンピュータの一例である。
【００５２】
検出処理部１１１は、利用者端末４を検出する。具体的には、利用者端末４が近接センサ１８に接近し、近接センサ１８が利用者端末４を検知すると、検知信号を制御部１１に送信する。検出処理部１１１は、近接センサ１８から前記検知信号を受信した場合に、利用者端末４を検出する。すなわち、検出処理部１１１は、前記検知信号に基づいて利用者端末４を検出したか否かを判定する。ここで、近接センサ１８は、ＱＲコード読取部１７に近接して、ＱＲコード読取部１７より前記進行方向の前方側（自動改札機１の出口側）に設けられている（図２参照）。このため、検出処理部１１１が利用者端末４を検出した時点では、利用者端末４がＱＲコード読取部１７の読取面上に位置していることになる。
【００５３】
発光処理部１１２は、検出処理部１１１により検出された利用者端末４に光を照射する発光部１７１の発光輝度を調整する。具体的には、発光処理部１１２は、検出処理部１１１により利用者端末４が検出されていない場合には、発光部１７１の発光輝度を基準輝度に設定して発光部１７１に発光させる。なお、発光処理部１１２は、検出処理部１１１により利用者端末４が検出されていない場合に、発光部１７１を消灯させてもよい。前記基準輝度は、例えば紙面（紙媒体）に印刷されたＱＲコード（ＱＲ乗車券５５）を読み取る際に紙面に照射する光の発光輝度よりも低い輝度に設定される。すなわち、前記基準輝度は、ＱＲコードを読み取る読取処理が実行される前の待機モードにおける輝度である。
【００５４】
発光処理部１１２は、検出処理部１１１により利用者端末４が検出された場合に前記発光輝度を前記基準輝度よりも高い輝度に上昇させる第１発光処理を実行する。例えば、発光処理部１１２は、検出処理部１１１が近接センサ１８から前記検知信号を受信すると、前記発光輝度を発光部１７１が発光可能な最大輝度に上昇させる。これにより、発光部１７１は、最大輝度で光を利用者端末４に照射する。上述のように、検出処理部１１１が利用者端末４を検出した時点では利用者端末４がＱＲコード読取部１７の読取面上に位置しているため、発光処理部１１２は、最大輝度の光を利用者端末４に照射させることができる。
【００５５】
また発光処理部１１２は、検出処理部１１１により利用者端末４が検出された場合に、利用者端末４がＱＲコード読取部１７の読取面に近づくに従って徐々に前記発光輝度を上昇させてもよい。例えば、発光処理部１１２は、検出処理部１１１により利用者端末４が検出されたときに前記発光輝度を前記基準輝度に設定し、利用者端末４と近接センサ１８との間の距離が短くなるに従って前記発光輝度を前記基準輝度から徐々に上昇させ、利用者端末４が近接センサ１８に最接近したときに前記発光輝度を前記最大輝度に設定する。これにより、発光部１７１の発光輝度の急激な上昇を抑えることができるため、発光部１７１の負荷を低減することができる。また、発光部１７１が利用者端末４により覆われる面積が増加する程、発光輝度が上昇するため、発光部１７１の光を利用者端末４の利用者の視界に入り難くすることができる。
【００５６】
ここで、利用者端末４は、周囲の明るさに応じて表示画面５０（図５参照）の表示輝度を調整可能な機能（輝度調整機能）を備えている。具体的には、利用者端末４は、利用者端末４の周囲の明るさが明るくなる程、表示画面５０の表示輝度を明るく調整し、利用者端末４の周囲の明るさが暗くなる程、表示画面５０の表示輝度を暗く調整する。前記輝度調整機能は周知の機能である。本発明の携帯端末は、前記輝度調整機能を備える周知のスマートフォン、携帯電話、又はタブレット端末を適用することができる。
【００５７】
このため、利用者端末４は、発光部１７１から発光された光を受光すると、表示画面５０の明るさ（表示輝度）を発光部１７１の発光輝度に応じた明るさに調整する。例えば、発光処理部１１２により前記第１発光処理が実行されて、発光部１７１から最大輝度の光が発光された場合、利用者端末４は、表示画面５０の表示輝度を上昇させる。
【００５８】
また発光処理部１１２は、前記第１発光処理に続けて、前記発光輝度を前記基準輝度よりも低い輝度に低下させる又は発光部１７１を消灯させる第２発光処理を実行する。具体的には、発光処理部１１２は、前記第１発光処理を実行して利用者端末４の表示画面５０の表示輝度を所定輝度に上昇させた後に、前記第２発光処理を実行する。
【００５９】
ここで、利用者端末４が備える前記輝度調整機能は、周囲の明るさが変化した場合に所定の時間をかけて徐々に表示輝度を変化させる特性を有する。例えば、周囲が暗い環境から明るい環境に急激に変化した場合、表示画面５０の表示輝度は、しばらく暗い状態が維持されその後所定の時間をかけて徐々に明るくなる。一方、周囲が明るい環境から暗い環境に急激に変化した場合、表示画面５０の表示輝度は、しばらく明るい状態が維持されその後所定の時間をかけて徐々に暗くなる。
【００６０】
このような輝度調整機能の特性により、発光処理部１１２が前記第１発光処理に続いて前記第２発光処理を実行すると、利用者端末４では、周囲が明るい環境から暗い環境に急激に変化することになり、表示画面５０の表示輝度は、しばらく明るい状態が維持されその後所定の時間をかけて徐々に暗くなる。すなわち、発光処理部１１２が前記第２発光処理を実行し、発光部１７１が発光輝度を低下させた直後においては、利用者端末４の表示画面５０の表示輝度は高い状態（高輝度状態）が維持される。
【００６１】
撮像処理部１１３は、検出処理部１１１により検出される利用者端末４の表示画面５０を撮像部１７２に撮像させる。具体的には、撮像処理部１１３は、発光処理部１１２により前記第２発光処理が実行された後（例えば直後）に表示画面５０を撮像部１７２に撮像させる。上述のように、利用者端末４の表示画面５０の表示輝度は、周囲の明るさの変化に対して徐々に変化する特性を有するため、撮像処理部１１３は、発光処理部１１２により前記第２発光処理が実行された後（例えば直後）に表示画面５０を撮像部１７２に撮像させると、表示画面５０が明るい状態（高輝度状態）で撮像することが可能となる。また、撮像部１７２が表示画面５０を撮像する際には、発光部１７１は前記第２発光処理により発光輝度が低下又は消灯しているため、発光部１７１の光が表示画面５０を反射することを防ぐことができる。これにより、撮像部１７２は、反射光が入り込まないため表示画面５０を適切に撮像することが可能となる。
【００６２】
このように、発光処理部１１２は、検出処理部１１１により利用者端末４が検出され、かつＱＲコード読取部１７の読取面が利用者端末４の表示画面５０で覆われた場合に、前記第１発光処理を実行し、前記読取面が表示画面５０で覆われている間に前記第２発光処理を実行する。そして、撮像処理部１１３は、前記読取面が表示画面５０で覆われている間に表示画面５０を撮像部１７２に撮像させる。
【００６３】
撮像部１７２により撮像された表示画面５０の画面画像５１（撮像画像）の画像データは、制御部１１に送信される。
【００６４】
読取処理部１１４は、ＱＲコード読取部１７から送信されてきた画面画像５１からＱＲ乗車券５５（ＱＲコード）を読み取り、ＱＲ乗車券５５に記録されている前記乗車券情報を取得する。例えば、読取処理部１１４は、画面画像５１から、ＱＲコード５５に含まれる３つの切り出しシンボル（ファインダパターン）を抽出し、各シンボルによって特定される矩形領域をＱＲコードの画像と特定する。そして、読取処理部１１４は、特定したＱＲコードを文字列に復号して前記乗車券情報を取得する。
【００６５】
判定処理部１１５は、読取処理部１１４により読み取られたＱＲ乗車券（ＱＲコード）５５の有効性を判定する。例えば、ＱＲ乗車券５５の前記乗車券情報に入場駅Ａの入場駅ＩＤが含まれる場合において、利用者が利用者端末４により入場駅Ａの自動改札機１にＱＲ乗車券５５を翳した場合に、入場駅Ａの駅サーバ２は、ＱＲ乗車券５５に記録された入場駅ＩＤに対応する入場駅Ａと、利用者が利用する入場駅Ａとが一致すると判定し判定結果を自動改札機１に送信する。判定処理部１１５は、前記判定結果を取得すると、ＱＲ乗車券５５を有効と判定する。また、ＱＲ乗車券５５の前記乗車券情報に出場駅Ｂの出場駅ＩＤが含まれる場合において、利用者が利用者端末４により出場駅Ｂの自動改札機１にＱＲ乗車券５５を翳した場合に、出場駅Ｂの駅サーバ２は、ＱＲ乗車券５５に記録された出場駅ＩＤに対応する出場駅Ｂと、利用者が利用する出場駅Ｂとが一致すると判定し判定結果を自動改札機１に送信する。判定処理部１１５は、前記判定結果を取得すると、ＱＲ乗車券５５を有効と判定する。
【００６６】
また、利用者が利用者端末４により、入場駅Ａの自動改札機１にＱＲ乗車券５５を翳して入場した後、出場駅Ｂの自動改札機１にＱＲ乗車券５５を翳した場合に、出場駅Ｂの駅サーバ２は、前記券発行情報に基づいて入場駅Ａから出場駅Ｂまでの利用区間の運賃と、決済に利用する電子マネーの口座残高（チャージ残高）とを比較し、比較結果を自動改札機１に送信する。判定処理部１１５は、前記運賃が前記口座残高以下である場合にＱＲ乗車券５５を有効と判定し、前記運賃が前記口座残高を超える場合にＱＲ乗車券５５を無効と判定する。
【００６７】
また、判定処理部１１５は、ＱＲ乗車券５５が不正に複製されたＱＲコード又は使用後のＱＲコードである場合、ＱＲ乗車券５５を無効であると判定してもよい。
【００６８】
判定処理部１１５によってＱＲ乗車券５５が有効であると判定された場合、制御部１１は、ＱＲ乗車券５５に含まれる前記乗車券情報に基づいて改札処理、決済処理などを実行する。
【００６９】
通行制御部１１６は、判定処理部１１５による判定結果に基づいて、自動改札機１を利用する利用者の通過を制御する。具体的には、通行制御部１１６は、ＱＲ乗車券５５が有効と判定された場合に、利用者が改札通路６を通行することを許可する。また、通行制御部１１６は、ＱＲ乗車券５５が無効と判定された場合に、利用者が改札通路６を通行することを禁止する。
【００７０】
ゲート処理部１１７は、ゲート１５の動作（開閉動作）を制御する。例えば、改札通路６における利用者の通行が許可された場合、ゲート処理部１１７は、ゲート１５を開放する。一方、改札通路６における利用者の通行が禁止された場合、ゲート処理部１１７は、ゲート１５を閉鎖する。
【００７１】
［駅サーバ２］
駅サーバ２は、駅務室などに設置されるサーバ装置であり、駅８内に属する自動改札機１などの駅務機器を管理する。駅サーバ２は、有線又は無線によりネットワークＮ１，Ｎ２に接続し、所定の通信プロトコルに従って、ネットワークＮ１を介して自動改札機１などの駅務機器との間でデータ通信を実行し、ネットワークＮ２を介してセンタ装置３との間でデータ通信を実行する。センタ装置３から送信された前記券発行情報は、駅８内に属する全ての自動改札機１に送信されて、自動改札機１の記憶部１２内に格納される。
【００７２】
［センタ装置３］
センタ装置３は、駅８を含む鉄道事業を運営する鉄道事業者が管理する中央監視装置であり、鉄道事業者が運営する全ての駅８の駅サーバ２、自動改札機１、券売機７（図１１参照）などの駅務機器を管理する。センタ装置３は、無線によりネットワークＮ２，Ｎ３に接続し、所定の通信プロトコルに従って、ネットワークＮ２を介して駅サーバ２との間でデータ通信を実行し、ネットワークＮ３を介して利用者端末４との間でデータ通信を実行する。
【００７３】
センタ装置３は、利用者端末４上で動作する乗車券発行アプリケーションにより送られてきた利用者ＩＤ及び乗車券の発行要求を受信すると、要求内容に応じた前記乗車券情報を含むＱＲ乗車券（ＱＲコード）５５を生成して、利用者端末４に発行する。また、センタ装置３は、入場改札処理時及び出場改札処理時に利用者が提示するＱＲ乗車券５５との照合に必要な券発行情報を生成して、センタ装置３が管轄する全ての駅８（８Ａ，８Ｂ）の駅サーバ２に送信する。
【００７４】
［利用者端末４］
図４は、利用者端末４の構成を示すブロック図である。図５は、利用者端末４の表示部４３の表示画面５０に表示される情報の一実施例を示す図である。
【００７５】
図４に示すように、利用者端末４は、制御部４１、記憶部４２、表示部４３、通信部４４、操作入力部４５、輝度センサ４６などを備える。利用者端末４は、鉄道を利用する利用者が所持する携帯端末であり、例えばスマートフォン、携帯電話、又はタブレット端末である。
【００７６】
通信部４４は、利用者端末４を無線でネットワークＮ３に接続し、ネットワークＮ３を介してセンタ装置３などの外部機器との間で所定の通信プロトコルに従ったデータ通信を実行するための通信インターフェースである。
【００７７】
操作入力部４５は、利用者の操作を受け付けるマウス、キーボード、又はタッチパネルなどのユーザーインターフェースである。利用者は、利用者端末４にインストールされている前記乗車券発行アプリケーションを操作したり、発行済みのＱＲ乗車券（ＱＲコード）５５を表示したりする際に、操作入力部４５を操作して、所定の指示や情報を入力する。
【００７８】
表示部４３は、各種の情報を表示する液晶ディスプレイ又は有機ＥＬディスプレイなどディスプレイ装置である。図５に示すように、鉄道を利用する際に必要なＱＲ乗車券５５が表示部４３の表示画面５０に表示される。
【００７９】
輝度センサ４６は、周囲の明るさを検出するセンサであり、照度センサ、環境光センサともいう。輝度センサ４６は検出結果を制御部１１に送信する。
【００８０】
記憶部４２は、各種の情報を記憶するフラッシュメモリなどの不揮発性の記憶媒体である。記憶部４２には、制御部４１に各種処理を実行させるための制御プログラムや、前記乗車券発行アプリケーションのプログラム、発行済みのＱＲ乗車券５５などの各種情報が記憶されている。
【００８１】
制御部４１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリ（作業領域）として使用される。そして、制御部４１は、前記ＲＯＭ又は記憶部４２に予め記憶された各種の制御プログラムを前記ＣＰＵで実行することにより利用者端末４を制御する。
【００８２】
図４に示すように、制御部４１は、発行処理部４１１、表示処理部４１２、輝度調整処理部４１３などの各種処理部を含む。
【００８３】
なお、制御部４１は、前記ＣＰＵで前記制御プログラムに従った各種の処理を実行することによって前記各種の処理部として機能する。また、制御部４１に含まれる一部又は全部の処理部が電子回路で構成されていてもよい。なお、前記制御プログラムは、複数のプロセッサを前記各種の処理部として機能させるためのプログラムであってもよい。
【００８４】
発行処理部４１１は、前記ＣＰＵが前記乗車券発行アプリケーションのプログラムを実行することにより実現される。発行処理部４１１は、利用者端末４に前記乗車券発行アプリケーションがインストールされることによって、利用者端末４上で機能する処理部である。前記乗車券発行アプリケーションが利用者端末４上で起動され、ログイン画面において登録済みの利用者ＩＤ及びパスワードが入力されると、乗車券発行画面が表示される。利用者は、乗車券発行画面において、入場駅（乗車駅）、出場駅（降車駅）、乗車日時などを含む乗車券情報を入力し、その後、発行要求を確定すると、発行処理部４１１は、発行要求をセンタ装置３に送信する。その後、前記乗車券情報が記録されたＱＲ乗車券（ＱＲコード）５５がセンタ装置３から送られてくる。このＱＲ乗車券５５は、表示処理部４１２による表示処理が可能なように、記憶部４２に記憶される。なお、入力された乗車駅から降車駅までの利用区間の運賃に関する決済が完了したことを条件にＱＲ乗車券５５の発行が行われる場合には、センタ装置３において決済処理が正常に完了した場合に、ＱＲ乗車券（ＱＲコード）５５が利用者端末４に送信される。前記運賃を出場駅において電子マネーにより決済する場合には、センタ装置３において前記決済処理は不要である。
【００８５】
表示処理部４１２は、記憶部４２に記憶されているＱＲ乗車券５５を表示画面５０に表示する処理を行う。具体的には、表示処理部４１２は、利用者端末４の表示部４３の表示画面５０にＱＲ乗車券５５を表示する。
【００８６】
輝度調整処理部４１３は、周囲の明るさに応じて表示画面５０（図５参照）の表示輝度を調整する。具体的には、輝度調整処理部４１３は、輝度センサ４６から取得する検出結果に基づいて、表示画面５０のバックライト（ＬＥＤ）の表示輝度を調整する。例えば、輝度調整処理部４１３は、利用者端末４の周囲の明るさが明るくなる程、表示画面５０の表示輝度を明るく調整し、利用者端末４の周囲の明るさが暗くなる程、表示画面５０の表示輝度を暗く調整する。
【００８７】
本実施形態では、自動改札機１において前記第１発光処理により発光部１７１の発光輝度が上昇すると、輝度調整処理部４１３は、輝度センサ４６から取得する検出結果に基づいて、表示画面５０の表示輝度を徐々に上昇させる。また、自動改札機１において前記第２発光処理により発光部１７１の発光輝度が低下すると、輝度調整処理部４１３は、輝度センサ４６から取得する検出結果に基づいて、表示画面５０の表示輝度を徐々に低下させる。
【００８８】
［情報コード読取処理］
以下、図６のフローチャートを用いて、自動改札機１の制御部１１によって実行される情報コード読取処理の手順の一例とともに、本発明の情報コード読取方法について説明する。図６において、Ｓ１１，Ｓ１２，・・・は処理手順の番号（ステップ番号）を示す。なお、以下の情報コード読取処理は、利用者が自動改札機１の改札通路６に進入した際に利用者端末４が近接センサ１８に検知された場合に行われる。
【００８９】
なお、本発明は、前記情報コード読取処理に含まれる一又は複数のステップを実行する情報コード読取方法の発明として捉えることができる。また、ここで説明する前記情報コード読取処理に含まれる一又は複数のステップが適宜省略されてもよい。また、前記情報コード読取処理における各ステップは、同様の作用効果を生じる範囲で実行順序が異なってもよい。さらに、ここでは制御部１１によって前記情報コード読取処理における各ステップが実行される場合を例に挙げて説明するが、他の実施形態では、複数のプロセッサによって前記情報コード読取処理における各ステップが分散して実行されてもよい。
【００９０】
ステップＳ１１において、制御部１１は、検出対象である利用者端末４を検出したか否かを判定する。制御部１１は、近接センサ１８から取得する検知信号に基づいて前記判定処理を実行してもよいし、当該検知信号及びカメラ（例えば撮像部１７２）により撮像される撮像画像に基づいて前記判定処理を実行してもよい。制御部１１が利用者端末４を検出した場合（Ｓ１１：ＹＥＳ）、処理はステップＳ１２に移行する。ステップＳ１１は、本発明の検出ステップの一例である。
【００９１】
ステップＳ１２において、制御部１１は、発光部１７１の発光輝度を基準輝度よりも高い輝度に上昇させる第１発光処理を実行する。例えば、制御部１１は、前記発光輝度を発光部１７１が発光可能な最大輝度に上昇させる。これにより、発光部１７１は、最大輝度の光を利用者端末４に照射する。利用者端末４では、発光部１７１から高輝度の光が照射されると、輝度調整機能が動作して、表示画面５０の表示輝度が上昇する。
【００９２】
次にステップＳ１３において、制御部１１は、発光部１７１の発光輝度を基準輝度よりも低い輝度に低下させる又は発光部１７１を消灯させる第２発光処理を実行する。制御部１１が前記第２発光処理を実行し、発光部１７１が発光輝度を低下させた直後では、利用者端末４の表示画面５０の表示輝度は高輝度に維持される。なお、制御部１１は、第２発光処理において、前記発光輝度を前記基準輝度に設定してもよいし、前記基準輝度よりも低い輝度に設定してもよい。ステップＳ１２，Ｓ１３は、本発明の発光ステップの一例である。
【００９３】
次にステップＳ１４において、制御部１１は、高輝度状態の利用者端末４の表示画面５０を撮像部１７２に撮像させる。例えば、制御部１１は、前記第１発光処理により利用者端末４の表示画面５０の表示輝度を上昇させ、続いて前記第２発光処理により発光部１７１の発光輝度を低下させた直後に表示画面５０を撮像部１７２に撮像させる。ステップＳ１４は、本発明の撮像ステップの一例である。
【００９４】
次にステップＳ１５において、制御部１１は、ＱＲコード読取部１７から送信されてきた画面画像５１からＱＲ乗車券（ＱＲコード）５５を読み取り、ＱＲ乗車券５５に記録されている前記乗車券情報を取得したか否かを判定する。制御部１１が前記乗車券情報を取得した場合（Ｓ１５：ＹＥＳ）、処理はステップＳ１６に移行する。一方、制御部１１が前記乗車券情報を取得できなかった場合（Ｓ１５：ＮＯ）、処理はステップＳ１９に移行する。ステップＳ１５は、本発明の読取ステップの一例である。
【００９５】
ステップＳ１６において、制御部１１は、ＱＲ乗車券５５が有効であるか否かを判定する。具体的には、制御部１１は、ＱＲ乗車券５５の前記乗車券情報、駅サーバ２に記憶される前記券発行情報などに基づいて、入場改札処理及び出場改札処理のそれぞれにおいて取得されるＱＲ乗車券５５の有効性を判定する。制御部１１によりＱＲ乗車券５５が有効と判定された場合（Ｓ１６：ＹＥＳ）、処理はステップＳ１７に移行する。一方、制御部１１によりＱＲ乗車券５５が無効と判定された場合（Ｓ１６：ＮＯ）、処理はステップＳ２０に移行する。
【００９６】
ステップＳ１７において、制御部１１は、利用者が改札通路６を通行することを許可し、ゲート１５を開放する。例えば、入場改札処理において利用者が改札通路６の通行を許可された場合、ゲートが開放されて利用者が改札通路６を通過して改札内に入場する。また例えば、出場改札処理において利用者が改札通路６の通行を許可された場合、ゲートが開放されて利用者が改札通路６を通過して改札外に出場する。
【００９７】
ステップＳ１８において、制御部１１は、利用者に通行可能であることを示すメッセージを表示部１３に表示させる。この場合、制御部１１は、さらにスピーカ（不図示）から通行可能であることを示す音声を出力してもよい。
【００９８】
ステップＳ１９において、制御部１１は、読取エラーのメッセージを表示部１３に表示させるエラー処理を実行する。その後、処理はステップＳ１１に戻り前記処理を繰り返す。すなわち、制御部１１は、ＱＲ乗車券５５を読み取ることができない場合（読取エラーの場合）、再度、前記第１発光処理（Ｓ１２）及び前記第２発光処理（Ｓ１３）を実行し、再度の前記第１発光処理及び前記第２発光処理が実行された後に表示画面５０を撮像部１７２に撮像させる（Ｓ１４）。制御部１１は、ＱＲ乗車券５５を読み取るまで前記処理を繰り返す。なお、制御部１１は、前記読取エラーの状態が所定時間継続した場合に、駅窓口に案内するメッセージを表示部１３に表示させてもよい。
【００９９】
ステップＳ２０において、制御部１１は、利用者が改札通路６を通行することを禁止し、ゲート１５を閉鎖する。例えば、入場改札処理において利用者が改札通路６の通行を禁止された場合、ゲートが閉鎖されて利用者は改札内への入場を禁止される。また例えば、出場改札処理において利用者が改札通路６の通行を禁止された場合、ゲートが閉鎖されて利用者は改札外への出場を禁止される。
【０１００】
ステップＳ２１において、制御部１１は、利用者に通行不能であることを示すメッセージを表示部１３に表示させる。この場合、制御部１１は、さらにスピーカから通行不能であることを示す音声を出力してもよい。
【０１０１】
以上説明したように、本実施形態に係る自動改札機１は、利用者端末４を検出すると利用者端末４の表示画面５０に高輝度の光を照射して、利用者端末４が備える輝度調整機能を動作させて表示画面５０の表示輝度を上昇させる。その後、自動改札機１は、発光輝度を低下させて表示画面５０を撮像し、ＱＲ乗車券（ＱＲコード）５５を読み取る。この構成によれば、利用者は、ＱＲ乗車券５５を利用する際に利用者端末４において表示画面５０の輝度を手動で調整する必要がない。また利用者は、ＱＲコードを利用する際に表示画面５０の輝度を自動で調整する機能を備えるアプリケーションを利用者端末４にインストールする必要もない。なお、利用者は、ＱＲ乗車券５５を発行するためのアプリケーション（乗車券発行アプリケーション）を利用者端末４にインストールしてＱＲ乗車券５５を取得してもよいし、鉄道事業者のＷＥＢサイトにアクセスしてメール等によりＱＲ乗車券５５を取得してもよいし、前記ＷＥＢサイトに乗車券情報を事前登録して券売機７においてＱＲ乗車券５５を取得してもよい。
【０１０２】
また本実施形態に係る自動改札機１によれば、利用者端末４の表示画面５０が明るい状態で表示画面５０の撮像画像を取得することができるため、当該撮像画像に含まれるＱＲコード（ＱＲ乗車券５５）を確実に読み取ることが可能となる。このように、自動改札機１によれば、ＱＲコードを利用する利用者の操作負担を低減しつつ、ＱＲコードの読取精度を向上させることが可能となる。
【０１０３】
本発明は上述の実施形態に限定されない。以下、本発明の他の実施形態について説明する。
【０１０４】
図７は、他の実施形態に係る自動改札機１の構成を示すブロック図である。図７に示す自動改札機１は、図３に示す自動改札機１にさらに、輝度センサ１９と端末輝度判定部１１９とを備えている。
【０１０５】
輝度センサ１９は、周囲の明るさを検出する。具体的には、輝度センサ１９は、制御部１１からの指示を取得した場合に周囲の明るさを検出する。例えば制御部１１は、検出処理部１１１により利用者端末４が検出された場合に輝度センサ１９に指示を送信し、輝度センサ１９は、当該指示を取得すると利用者端末４の表示画面５０の明るさ（表示輝度）を検出する。輝度センサ１９は検出結果を制御部１１に送信する。
【０１０６】
端末輝度判定部１１９は、輝度センサ１９の検出結果に基づいて、利用者端末４の表示画面５０の表示輝度が所定輝度以上であるか否かを判定する。前記所定輝度は、表示画面５０の撮像画像からＱＲコード（ＱＲ乗車券５５）を確実に読み取ることが可能な輝度に設定される。端末輝度判定部１１９は、本発明の輝度判定処理部の一例である。
【０１０７】
発光処理部１１２は、端末輝度判定部１１９の判定結果に基づいて、発光部１７１の発光輝度を調整する。具体的には、発光処理部１１２は、表示画面５０の表示輝度が所定輝度以上になるまで前記発光輝度を上昇させる前記第１発光処理を実行する。そして、発光処理部１１２は、前記表示輝度が前記所定輝度以上になった場合に前記発光輝度を前記基準輝度よりも低い輝度に低下させる又は発光部１７１を消灯させる前記第２発光処理を実行する。
【０１０８】
撮像処理部１１３は、発光処理部１１２により前記第２発光処理が実行された後に表示画面５０を撮像部１７２に撮像させる。すなわち、撮像処理部１１３は、発光処理部１１２により前記第２発光処理が実行された後、前記表示輝度が前記所定輝度未満に低下する前に表示画面５０を撮像部１７２に撮像させる。
【０１０９】
図８は、図７に示す自動改札機１の制御部１１によって実行される情報コード読取処理の手順の一例を示すフローチャートである。ここでは、図６に示す情報コード読取処理と同一の処理については説明を省略する。
【０１１０】
ステップＳ１２において、制御部１１は、発光部１７１の発光輝度を基準輝度よりも高い輝度に上昇させる第１発光処理を実行する。
【０１１１】
次にステップＳ１２１において、制御部１１は、輝度センサ１９の検出結果に基づいて利用者端末４の表示画面５０の表示輝度を検出し、検出した表示輝度が所定輝度以上であるか否かを判定する。前記表示輝度が所定輝度以上であると判定された場合、処理はステップＳ１３に移行する。前記表示輝度が所定輝度未満であると判定された場合、処理はステップＳ１２に戻り、引き続き発光輝度を上昇させる前記第１発光処理を実行する。前記第１発光処理が繰り返されることにより、前記表示輝度が所定輝度以上になると、処理はステップＳ１３に移行する。
【０１１２】
ステップＳ１３において、制御部１１は、発光部１７１の発光輝度を基準輝度よりも低い輝度に低下させる又は発光部１７１を消灯させる第２発光処理を実行する。制御部１１が前記第２発光処理を実行し、発光部１７１が発光輝度を低下させた直後では、利用者端末４の表示画面５０の表示輝度は所定輝度以上に維持される。
【０１１３】
次にステップＳ１３１において、制御部１１は、再び、輝度センサ１９の検出結果に基づいて利用者端末４の表示画面５０の表示輝度を検出し、検出した表示輝度が所定輝度以上であるか否かを判定する。前記表示輝度が所定輝度以上であると判定された場合、処理はステップＳ１４に移行する。前記表示輝度が所定輝度未満であると判定された場合、処理は再びステップＳ１２に戻り、発光輝度を上昇させる前記第１発光処理を実行する。前記第１発光処理及び前記第２発光処理が繰り返されて、前記表示輝度が所定輝度以上の状態になった場合に、処理はステップＳ１４に移行する。この時点では、自動改札機１の発光部１７１は低輝度又は消灯の状態であり、利用者端末４の表示画面５０は所定輝度以上の高輝度状態となる。
【０１１４】
次にステップＳ１４において、制御部１１は、高輝度状態の利用者端末４の表示画面５０を撮像部１７２に撮像させる。続くステップＳ１５以降の処理は図６に示す処理と同一である。これにより、制御部１１は、表示画面５０の撮像画像からＱＲコード（ＱＲ乗車券５５）を確実に読み取ることが可能となる。よって、図７に示す自動改札機１の構成によれば、ＱＲコードの読取精度を確実に向上させることが可能となる。
【０１１５】
他の実施形態として、自動改札機１は、近接センサ１８により検出された検出対象物が利用者端末４であるか紙媒体であるかを判定する構成を備えてもよい。ここで、紙媒体は、ＱＲコード（ＱＲ乗車券５５）の画像が印刷された紙券である。具体的には、検出処理部１１１は、近接センサ１８から取得する検知信号及びカメラ（例えば撮像部１７２）により撮像される撮像画像に基づいて、検出対象物が利用者端末４であるか紙媒体であるかを判定する。
【０１１６】
この場合、発光処理部１１２は、検出処理部１１１により前記紙媒体が検出された場合に前記紙媒体に対する前記発光輝度を上昇させる前記第１発光処理を実行する。具体的には、発光処理部１１２は、検出処理部１１１により検出された検出対象物の種別に応じて、発光部１７１の発光輝度を調整する。例えば、検出処理部１１１により利用者端末４が検出された場合には、発光処理部１１２は、前記発光輝度を前記基準輝度よりも高い第１輝度に上昇させる。一方、検出処理部１１１により前記紙媒体が検出された場合には、発光処理部１１２は、前記発光輝度を前記第１輝度以下の第２輝度に上昇させる。
【０１１７】
また、検出処理部１１１により利用者端末４が検出された場合には、発光処理部１１２は、前記第１発光処理に続けて前記発光輝度を低下させる前記第２発光処理を実行し、その後に撮像処理部１１３が利用者端末４の表示画面５０を撮像する撮像処理を実行する。一方、検出処理部１１１により前記紙媒体が検出された場合には、前記第１発光処理の後に撮像処理部１１３が前記紙媒体を撮像する撮像処理を実行し、その後に発光処理部１１２が前記第２発光処理を実行する。すなわち、検出処理部１１１により前記紙媒体が検出された場合には、撮像処理部１１３は、発光部１７１の光が継続して紙媒体に照射されている状態で、前記紙媒体からの反射光を利用してＱＲ乗車券（ＱＲコード）５５を読み取る。
【０１１８】
図９は、上述の自動改札機１の制御部１１によって実行される情報コード読取処理の手順の一例を示すフローチャートである。ここでは、図６に示す情報コード読取処理と同一の処理については説明を省略する。
【０１１９】
ステップＳ１１において、制御部１１は、利用者端末４を検出したか否かを判定する。制御部１１が利用者端末４を検出した場合（Ｓ１１：ＹＥＳ）、処理はステップＳ１２に移行する。一方、制御部１１が利用者端末４を検出しない場合（Ｓ１１：ＮＯ）、処理はステップＳ１１１に移行する。
【０１２０】
ステップＳ１２において、制御部１１は、発光部１７１の発光輝度を基準輝度よりも高い第１輝度に上昇させる第１発光処理を実行する。次にステップＳ１３において、制御部１１は、発光部１７１の発光輝度を基準輝度よりも低い輝度に低下させる又は発光部１７１を消灯させる第２発光処理を実行する。次にステップＳ１４において、制御部１１は、高輝度状態の利用者端末４の表示画面５０を撮像部１７２に撮像させる。その後、ステップＳ１４１において、制御部１１は、前記発光輝度を基準輝度に設定する。
【０１２１】
一方、ステップＳ１１１において、制御部１１は、紙媒体を検出したか否かを判定する。制御部１１が前記紙媒体を検出した場合（Ｓ１１１：ＹＥＳ）、処理はステップＳ１１２に移行する。一方、制御部１１が前記紙媒体を検出しない場合（Ｓ１１１：ＮＯ）、処理はステップＳ１１に戻る。
【０１２２】
ステップＳ１１２において、制御部１１は、発光部１７１の発光輝度を基準輝度よりも高くかつ第１輝度よりも低い第２輝度に上昇させる第１発光処理を実行する。次にステップＳ１１３において、制御部１１は、発光部１７１の光が照射されている前記紙媒体を撮像部１７２に撮像させる。その後、ステップＳ１４１において、制御部１１は、前記発光輝度を基準輝度に設定する。このように、制御部１１は、紙媒体を検出した場合には、前記第２発光処理を省略する。
【０１２３】
続くステップＳ１５以降の処理は図６に示す処理と同一である。これにより、制御部１１は、利用者端末４に表示されたＱＲコード、及び、紙媒体に印刷されたＱＲコードを確実に読み取ることが可能となる。
【０１２４】
ここで、利用者端末４が前記輝度調整機能を備えていない場合、又は、利用者端末４において前記輝度調整機能が無効に設定されている場合、自動改札機１は、発光部１７１の光を利用して利用者端末４の表示画面５０の表示輝度を調整することができない。この場合、自動改札機１は、図１０に示す処理を実行してもよい。図１０は、自動改札機１の制御部１１によって実行される情報コード読取処理の手順の一例を示すフローチャートである。ここでは、図６に示す情報コード読取処理と同一の処理については説明を省略する。
【０１２５】
ステップＳ１１において利用者端末４が検出された場合、制御部１１は、利用者端末４の輝度調整機能が有効であるか否かを判定する。例えば、制御部１１は、発光部１７１にテストパターンの光を発光させて、利用者端末４の表示画面５０の表示輝度が変化するか否かを判定して、輝度調整機能が有効であるか否かを判定する。輝度調整機能が有効である場合（Ｓ１１０：ＹＥＳ）、処理はステップＳ１２に移行し、輝度調整機能が無効である場合（Ｓ１１０：ＮＯ）、処理はステップＳ１０２に移行する。ステップＳ１２以降の処理は、図９に示す処理と同一である。
【０１２６】
ステップＳ１０２において、制御部１１は、発光部１７１の発光輝度を基準輝度よりも高くかつ第１輝度よりも低い第３輝度に上昇させる第１発光処理を実行する。次にステップＳ１４において、制御部１１は、発光部１７１の光が照射されている表示画面５０を撮像部１７２に撮像させる。なお、前記第３輝度は、例えば、表示画面５０を明るく照らすことが可能であり、かつ、発光部１７１の光が表示画面５０で反射することにより撮像画像におけるＱＲコードの読取精度が低下しない程度の輝度に設定される。ステップＳ１４以降の処理は、図９に示す処理と同一である。このように、制御部１１は、利用者端末４の輝度調整機能が有効であるか否かに基づいて、発光部１７１の発光輝度及び発光方法を異ならせる。
【０１２７】
なお、輝度調整機能が無効である場合には、制御部１１は、前記第１発光処理において発光部１７１に点滅光を連続して発光させ、撮像部１７２に連続して撮像させてもよい。上記の構成によれば、利用者端末４において輝度調整機能が無効である場合であっても、表示画面５０に表示されたＱＲコードを適切に読み取ることが可能となる。
【０１２８】
本実施形態に係る自動改札機１の検出処理部１１１、発光処理部１１２、撮像処理部１１３、読取処理部１１４、判定処理部１１５、端末輝度判定部１１９が本発明に係る情報コード読取装置に相当する。なお、本実施形態において、本発明に係る情報コード読取装置を構成する前記各処理部は、センタ装置３に設けられてもよい。
【０１２９】
本発明の情報コード読取装置は、情報コードを利用する様々な機器に適用することができる。例えば情報コード読取装置は、空港のチェックイン端末及び搭乗ゲート端末、商品を販売する店舗の店舗端末、飲食店の飲食店端末、宿泊施設、遊戯施設などの施設端末などに適用することができる。
【０１３０】
本発明の情報コード読取装置を券売機７に適用した場合の概要を以下に示す。図１１は、券売機７の構成を示す斜視図である。券売機７の前面に、発光部１７１及び撮像部１７２を含むＱＲコード読取部１７と、近接センサ１８とが配置される。また近接センサ１８は、ＱＲコード読取部１７の上方に近接して配置される。
【０１３１】
券売機７は、例えば、利用者端末４の表示画面５０に表示されるＱＲコード５５を読み取り、ＱＲコード５５に記録された情報（利用者情報）を取得して、乗車券、定期券、又はその他の券の発行処理、電子マネーの入金（チャージ）処理などを実行する。
【符号の説明】
【０１３２】
１        ：自動改札機
２        ：駅サーバ
３        ：センタ装置
４        ：利用者端末
６        ：改札通路
１５      ：ゲート
１７      ：ＱＲコード読取部
１８      ：近接センサ
１９      ：輝度センサ
４１      ：制御部
４２      ：記憶部
４３      ：表示部
４４      ：通信部
４５      ：操作入力部
４６      ：輝度センサ
５０      ：表示画面
５５      ：ＱＲ乗車券
１００    ：駅務システム
１１１    ：検出処理部
１１２    ：発光処理部
１１３    ：撮像処理部
１１４    ：読取処理部
１１５    ：判定処理部
１１６    ：通行制御部
１１７    ：ゲート処理部
１１９    ：端末輝度判定部
１７１    ：発光部
１７２    ：撮像部
４１１    ：発行処理部
４１２    ：表示処理部
４１３    ：輝度調整処理部
【図１】
2020149542.tif 000003
【図２】
2020149542.tif 000004
【図３】
2020149542.tif 000005
【図４】
2020149542.tif 000006
【図５】
2020149542.tif 000007
【図６】
2020149542.tif 000008
【図７】
2020149542.tif 000009
【図８】
2020149542.tif 000010
【図９】
2020149542.tif 000011
【図１０】
2020149542.tif 000012
【図１１】
2020149542.tif 000013